(57)【要約】【課題】  高度な偽造防止性能を有し、且つ真偽判定の時間を大幅に短縮することができる偽造防止用インクを提供すること。【解決手段】  本発明の偽造防止用インクは、少なくとも、ＤＮＡ分子と、可視光領域に吸収波長を持たず且つ特定光源下で可視光領域の発光を示す発光物質とを含有することを特徴とする。この偽造防止用インクは、更に、色材、界面活性剤及び水溶性有機溶剤からなる群から選ばれる１種以上を含有していてもよく、斯かる組成の偽造防止用インクは、インクジェット記録方式等に好適に使用できる。【選択図】  なし【特許請求の範囲】
【請求項１】
少なくとも、ＤＮＡ分子と、可視光領域に吸収波長を持たず且つ特定光源下で可視光領
域の発光を示す発光物質とを含有する偽造防止用インク。
【請求項２】
上記発光物質は、紫外線下で可視光領域の発光を示す請求項１記載の偽造防止用インク
。
【請求項３】
色材、界面活性剤及び水溶性有機溶剤からなる群から選ばれる１種以上を含有する請求
項１又は２記載の偽造防止用インク。
【発明の詳細な説明】
【技術分野】
【０００１】
本発明は、ＤＮＡ（deoxyribonucleic acid  デオキシリボ核酸 ）分子を含有した偽造
防止用インクに関する。
【背景技術】
【０００２】
従来から、小切手、乗車券、商品券、証券等の有価印刷物、預貯金の通帳、身分証明書
、各種カード等の偽造を防止するために、その形成材料や作製方法に特殊な工夫を施すこ
とが行われてきた。より高度な偽造防止技術が要望される中、近年、生体の遺伝情報を構
成するＤＮＡに注目が集まっている。ＤＮＡは、通常、分子量１００万以上であり、その
遺伝情報の基礎となる４種類の塩基（アデニン、グアニン、チミン、シトシン）の配列パ
ターンは無数に存在するので、ＤＮＡ分子の有する固有の遺伝情報を偽造することは極め
て困難である。このため、ＤＮＡを利用した偽造防止技術が検討されている。
【０００３】
ＤＮＡを利用した偽造防止技術として、特許文献１には、表面にＤＮＡ分子が結合した
超微粒子を含有するＤＮＡインク組成物が開示されている。このＤＮＡインク組成物は、
偽造の困難なＤＮＡ分子の有する固有の遺伝情報を、真正物か偽造物かを判定するための
識別情報として利用したものであるため、偽造防止性能には優れるものの、真偽判定に時
間がかかり過ぎるという欠点がある。即ち、ＤＮＡの構造（情報）解析は、通常、専用の
解析装置（例えば特許文献１では、核磁気共鳴現象を利用した磁気センサを備えたシステ
ムを使用している）を必要とし、多大な労力、時間を要するものであるところ、上記ＤＮ
Ａインク組成物により真正物に付与される「真正物であることの認証」は、ＤＮＡの遺伝
情報のみであるため、真偽判定の対象物が多数存在する場合には、その全てについて煩雑
で時間のかかるＤＮＡ構造解析を行わなければならず、真偽判定に長時間を要する。
【０００４】
【特許文献１】特開２００４−３３１８３２号公報
【発明の開示】
【発明が解決しようとする課題】
【０００５】
従って、本発明の目的は、高度な偽造防止性能を有し、且つ真偽判定の時間を大幅に短
縮することができる偽造防止用インクを提供することにある。
【課題を解決するための手段】
【０００６】
本発明は、少なくとも、ＤＮＡ分子と、可視光領域に吸収波長を持たず且つ特定光源下
で可視光領域の発光を示す発光物質とを含有する偽造防止用インクを提供することにより
、上記目的を達成したものである。
【０００７】
本発明の偽造防止用インクは、ＤＮＡ分子と、特定の光源下で発光する発光物質とが含
有されていることにより、真正物か偽造物か（該インクを用いたものか否か）を判定する
ための識別情報として、「ＤＮＡ分子の有する固有の遺伝情報」及び「特定光源下での発
光状態」の２種類が備わっているので、高度な偽造防止性能を有している。従って、例え
ば、小切手、乗車券、商品券、有価証券、預貯金の通帳、身分証明書、各種カード等の様
々な物品に付与することにより、その偽造防止に使用することができる。また、通常、「
特定光源下での発光状態」を調べるための発光検査は、「ＤＮＡ分子の有する固有の遺伝
情報」を調べるためのＤＮＡ構造解析よりもはるかに簡便で時間のかからないものである
ため、例えば真偽判定の対象物が多数存在するような場合には、ＤＮＡ構造解析に先立っ
て全対象物について発光検査を行い、発光の無いもの又は発光色が所定のものと異なるも
のを排除するスクリーニングを行なうことにより、ＤＮＡ構造解析の対象サンプル数を減
らすことが可能となり、全サンプルについてＤＮＡ構造解析を行なう場合に比べて真偽判
定時間を大幅に短縮することができる。更に、本発明の偽造防止用インクは、通常の印刷
用インクとして使用することができ、色材や各種溶媒等を適宜含有させることにより、イ
ンクジェット方式、オフセット方式、グラビア方式等の種々の印刷方式において高画質な
画像を安定して提供し得る。
【発明を実施するための最良の形態】
【０００８】
本発明の偽造防止用インクは、少なくとも、ＤＮＡ分子と、可視光領域に吸収波長を持
たず且つ特定光源下で可視光領域の発光を示す発光物質とを必須成分として含有している
。更に、主溶媒としての水又は有機溶剤を含有し、必要に応じ、色材、顔料分散剤、界面
活性剤、水溶性有機溶剤等が添加され調製される。
【０００９】
本発明に係るＤＮＡ分子としては、人のＤＮＡを始めとして各種生物、例えば、動物、
植物、微生物のＤＮＡ又は各種合成ＤＮＡを用いることができる。これらの中で、遺伝子
工学その他の分野において盛んに研修対象とされている微生物として、例えば、細菌（例
えば、Escherichia coli等）、糸状菌（例えば、Aspergillus niger等）、酵母（例えば
、Saccharomyses cerevisiae等）等を用いることができる。また、これらから公知の方法
で抽出・精製されたＤＮＡ分子、これを各種制限酵素で切断したＤＮＡフラグメント、こ
れを組み込んだプラスミドＤＮＡ等を用いることもできる。また、ｃＤＮＡやレトロウイ
ルス等も用いることができる。また、様々な機関の遺伝子ライブラリー（ゲノムバンク）
から所望のものを入手して用いることもできる。
ＤＮＡ分子の含有量は、ＤＮＡ解析のし易さ、インクジェット記録における吐出安定性
等を考慮の上、適宜調整することができる。
【００１０】
本発明に係る発光物質は、可視光領域に吸収波長を持たず且つ特定光源下で可視光領域
の発光を示す物質である。この発光物質は、通常の自然光や照明灯の下では発光しないか
、あるいは発光しても視認できない程度であるが、紫外線等の特定光源の下では視認可能
な発光を示す。このような発光物質としては、例えば、紫外線下で可視光領域の発光を示
す発光物質（蛍光増白剤）として、ピレン誘導体、クマリン誘導体、アミノクマリン誘導
体、カーポスチリル誘導体、ジベンゾオキサゾリル誘導体、チアゾール誘導体、イミダゾ
ール誘導体、ベンゾイミダゾール誘導体、イミダゾリン誘導体、ピラゾリン誘導体、ベン
ジジン誘導体、スチルベン誘導体、ジスチルベン誘導体、ジスルホン酸誘導体、ナフタル
イミド誘導体、ジスチリルビフェニル誘導体等が挙げられ、これらの１種を単独で又は２
種以上を混合して用いることができる。
【００１１】
上記発光物質の含有量は、発光強度、視認性、インクジェット記録における吐出安定性
等の観点から、インクの全重量に対して、好ましくは１〜１５重量％である。
【００１２】
本発明の偽造防止用インクには、上述の２成分（ＤＮＡ分子、発光物質）を溶解又は分
散させる主溶媒（インクの全重量の５０重量％以上を占める溶媒）が含有される。主溶媒
としては、水、有機溶剤の何れでもよいが、環境汚染防止の観点から水が好ましい。主溶
媒として水を用いたインク、即ち、少なくとも、ＤＮＡ分子と、発光物質と、主溶媒とし
ての水とを含有する水性インクは、特にインクジェット記録用インクとして好適に使用で
きる。
【００１３】
以下には、水を主溶媒として用いた本発明の偽造防止用インクに、必要に応じて含有さ
れる各種成分（色材、界面活性剤、水溶性有機溶剤等）について説明する。
本発明で用いられる色材としては、染料及び顔料の何れであってもよく、両者を併用す
ることもできる。色材の含有量は、印字濃度及びインクジェット記録における吐出安定性
の観点から、インクの全重量に対して好ましくは１〜３０重量％である。
【００１４】
上記染料（色材）としては、例えば、酸性染料、塩基性染料、直接染料、食用色素、反
応性染料等を用いることができる。具体的には、例えば、アシッドイエロー２３、２５；
ダイレクトイエロー１２、２６、８６、１３０；ベーシックイエロー９、１１；アシッド
レッド２７、２８、５２、２５４、２８９；リアクティブレッド１８０；ダイレクトレッ
ド９、１３、１７、２３、２２７；ベーシックレッド３；アシッドブルー８、２５４；ベ
ーシックブルー９；ダイレクトブルー７８、８６、１９９；アシッドブラック５２、１７
２、２０８；フードブラック２、ダイレクトブラック１９、２２、２８、１５４；プロセ
スリアクティブブラック３１等が挙げられる。
【００１５】
上記顔料（色材）としては、例えば、アゾ顔料（例えば、アゾレーキ、不溶性アゾ顔料
、縮合アゾ顔料、キレートアゾ顔料等を含む）、多環式顔料（例えば、フタロシアニン顔
料、ペリレン顔料、ペリノン顔料、アントラキノン顔料、キナクリドン顔料、ジオキサジ
ン顔料、チオインジゴ顔料、イソインドリノン顔料、キノフタロン顔料等）、ニトロ顔料
、ニトロソ顔料、アニリンブラック等の有機顔料；カーボンブラック（例えば、ファーネ
スブラック、サーマルランプブラック、アセチレンブラック、チャンネルブラック等）、
金属酸化物、金属硫化物、金属塩化物等の無機顔料；シリカ、炭酸カルシウム、タルク等
の体質顔料等を用いることができる。具体的には、例えば、Ｃ．Ｉ．ピグメントイエロー
７４、９３、１０９、１１０、１２８、１３８、１５０、１５１、１５４、１５５、１８
０、１８５；Ｃ．Ｉ．ピグメントレッド１２２、２０２、２０９；Ｃ．Ｉ．ピグメントバ
イオレット１９；Ｃ．Ｉ．ピグメントブルー１５：３、１５：４、６０；Ｃ．Ｉ．ピグメ
ントグリーン７（フタロシアニングリーン）、１０（グリーンゴールド）、３６、３７；
Ｃ．Ｉ．ピグメントブラウン３、５、２５、２６；Ｃ．Ｉ．ピグメントオレンジ１、２、
５、７、１３、１４、１５、１６、３４、３６、３８等が挙げられる。
【００１６】
尚、色材として顔料を用いる場合には、顔料と共に顔料分散剤を併用することにより、
インク中での顔料の分散安定性を更に高めることができる。顔料分散剤としては、例えば
、ポリビニルアルコール類；ポリビニルピロリドン類；ポリアクリル酸、アクリル酸−ア
クリルニトリル共重合体、アクリル酸カリウム−アクリルニトリル共重合体、酢酸ビニル
−アクリル酸エステル共重合体、アクリル酸−アクリル酸アルキルエステル共重合体等の
アクリル系樹脂；スチレン−アクリル酸共重合体、スチレン−メタクリル酸共重合体、ス
チレン−メタクリル酸−アクリル酸アルキルエステル共重合体、スチレン−α−メチルス
チレン−アクリル酸共重合体、スチレン−α−メチルスチレン−アクリル酸−アクリル酸
アルキルエステル共重合体等のスチレン−アクリル樹脂；スチレン−マレイン酸共重合体
；スチレン−無水マレイン酸共重合体；ビニルナフタレン−アクリル酸共重合体；ビニル
ナフタレン−マレイン酸共重合体；酢酸ビニル−エチレン共重合体、酢酸ビニル−脂肪酸
ビニルエチレン共重合体、酢酸ビニル−マレイン酸エステル共重合体、酢酸ビニル−クロ
トン酸共重合体、酢酸ビニル−アクリル酸共重合体等の酢酸ビニル系共重合体、あるいは
、これらの塩；にかわ、ゼラチン、ガゼイン、アルブミン等のタンパク質類；アラビアゴ
ム、トラガントゴム等の天然ゴム類；サボニン等のグルコシド類；アルギン酸及びアルギ
ン酸プロピレングリコールエステル、アルギン酸トリエタノールアミン、アルギン酸アン
モニウム等のアルギン酸誘導体；メチルセルロース、カルボキシメチルセルロース、ヒド
ロキシエチルセルロース、エチルヒドロキシセルロース等のセルロース誘導体等が挙げら
れ、これらの１種を単独で又は２種以上を混合して用いることができる。
【００１７】
また、本発明で用いられる界面活性剤としては、インクの被記録媒体への浸透性を高め
得るものとして、両性界面活性剤及び非イオン界面活性剤が挙げられる。両性界面活性剤
としては、例えば、ラウリルジメチルアミノ酢酸ベタイン、２−アルキル−Ｎ−カルボキ
シメチル−Ｎ−ヒドロキシエチルイミダゾリニウムベタイン、ヤシ油脂肪酸アミドプロピ
ルジメチルアミノ酢酸ベタイン、ポリオクチルポリアミノエチルグリシンその他イミダゾ
リン誘導体などがある。非イオン界面活性剤としては、アセチレングリコール系界面活性
剤、ポリオキシエチレンノニルフェニルエーテル、ポリオキシエチレンオクチルフェニル
エーテル、ポリオキシエチレンドデシルフェニルエーテル、ポリオキシエチレンアルキル
アリルエーテル、ポリオキシエチレンオレイルエーテル、ポリオキシエチレンラウリルエ
ーテル、ポリオキシエチレンアルキルエーテル、ポリオキシアルキレンアルキルエーテル
などのエーテル系、ポリオキシエチレンオレイン酸、ポリオキシエチレンオレイン酸エス
テル、ポリオキシエチレンジステアリン酸エステル、ソルビタンラウレート、ソルビタン
モノステアレート、ソルビタンモノオレエート、ソルビタンセスキオレート、ポリオキシ
エチレンモノオレエート、ポリオキシエチレンステアレートなどのエステル系、その他フ
ッ素アルキルエステル、パーフルオロアルキルカルボン酸塩などの含フッ素系界面活性剤
などがある。これらの界面活性剤は、１種を単独で用いてもよく、２種以上を混合して用
いてもよい。界面活性剤の含有量は、インクの全量に対して好ましくは０．３〜２重量％
である。
【００１８】
上記の界面活性剤の中でもアセチレングリコール系界面活性剤は、画質、吐出安定性な
どの面から特に好ましく、その例としては２，４，７，９−テトラメチル−５−デシン−
４，７−ジオール、３，６−ジメチル−４−オクチン−３，６−ジオール、３，５−ジメ
チル−１−ヘキシン−３オールなどが挙げられる。市販のアセチレングリコール系界面活
性剤としては、サーフィノール８２、１０４、４４０、４６５、４８５、またはＴＧ（い
ずれもAir Products and Chemicals.Inc.より入手可能）、オルフィンＳＴＧ、オルフィ
ンＥ１０１０（商品名）（以上、日信化学社製）などが好ましく用いられる。また、シリ
コーン系界面活性剤も本発明で好ましく用いることができる。市販のシリコーン系界面活
性剤としては、ＢＹＫ３４７、３４８（以上、ビックケミージャパン製）などが挙げられ
る。
【００１９】
また、本発明で用いられる水溶性有機溶剤としては、インクに含まれる各種成分の溶解
性の向上、あるいはインクジェット記録における吐出安定性の向上等に有効なものが好ま
しく、例えば、エチレングリコール、ジエチレングリコール、トリエチレングリコール、
テトラエチレングリコール、プロピレングリコール、ジプロピレングリコール、トリプロ
ピレングリコール、１、３−プロピレングリコール、イソプロピレングリコール、イソブ
チレングリコール、１、４−ブタンジオール、１、３−ブタンジオール、１、５−ペンタ
ンジオール、１、６−ヘキサンジオール、グリセリン、チオジグリコール、メソエリスリ
トール、ペンタエリスリトール、２−ピロリドン、エタノール、メタノール、ブタノール
、プロパノール、イソプロパノールなどの炭素数１から４のアルキルアルコール類、エチ
レングリコールモノメチルエーテル、エチレングリコールモノエチルエーテル、エチレン
グリコールモノブチルエーテル、エチレングリコールモノメチルエーテルアセテート、ジ
エチレングリコールモノメチルエーテル、ジエチレングリコールモノエチルエーテル、ジ
エチレングリコールモノ−ｎ−プロピルエーテル、エチレングリコールモノ−ｉｓｏ−プ
ロピルエーテル、ジエチレングリコールモノ−ｉｓｏ−プロピルエーテル、エチレングリ
コールモノ−ｎ−ブチルエーテル、エチレングリコールモノ−ｔ−ブチルエーテル、ジエ
チレングリコールモノ−ｎ−ブチルエーテル、トリエチレングリコールモノ−ｎ−ブチル
エーテル、ジエチレングリコールモノ−ｔ−ブチルエーテル、１−メチル−１−メトキシ
ブタノール、プロピレングリコールモノメチルエーテル、プロピレングリコールモノエチ
ルエーテル、プロピレングリコールモノ−ｔ−ブチルエーテル、プロピレングリコールモ
ノ−ｎ−プロピルエーテル、プロピレングリコールモノ−ｉｓｏ−プロピルエーテル、プ
ロピレングリコールモノ−ｎ−ブチルエーテル、ジプロピレングリコールモノ−ｎ−ブチ
ルエーテル、ジプロピレングリコールモノメチルエーテル、ジプロピレングリコールモノ
エチルエーテル、ジプロピレングリコールモノ−ｎ−プロピルエーテル、ジプロピレング
リコールモノ−ｉｓｏ−プロピルエーテルなどのグリコールエーテル類、ホルムアミド、
アセトアミド、ジメチルスルホキシド、ソルビット、ソルビタン、アセチン、ジアセチン
、トリアセチン、スルホラン等が挙げられ、これらの１種を単独で又は２種以上を混合し
て用いることができる。水溶性有機溶剤の含有量は、インクの全量に対して好ましくは１
〜３０重量％である。
【００２０】
本発明の偽造防止用インクに含有可能な他の成分としては、例えば、ジエタノールアミ
ン、トリエタノールアミン等のｐＨ調整剤、グルコース等の糖類（インクジェット記録に
おけるノズル目詰まり防止剤）、防腐剤・防かび剤、粘度調整剤、消泡剤、紫外線吸収剤
、酸化防止剤等が挙げられる。
【００２１】
以上、水を主溶媒として用いた水性インクの組成について説明したが、本発明の偽造防
止用インクには、主溶媒として有機溶剤を用いた油性インクも含まれる。この油性インク
の組成としては、例えば、国際公開ＷＯ２００４／００７６２６に記載の油性インクの組
成を適用することができる。
【００２２】
本発明の偽造防止用インクは、色材、主溶媒など、ＤＮＡ分子及び発光物質以外の任意
成分を適宜選択することにより、インクジェット方式、オフセット方式、グラビア方式な
どの種々の印刷方式に使用することができ、各種印刷方式において通常の印刷用インクと
同様に使用することができる。また、本発明の偽造防止用インクは、材質、塗工層の有無
等を問わず多様な種類の用紙に用いることができ、該インクが適用可能な用紙は特に制限
されないが、本発明が有効な用紙は、「本発明のインクに用いられている発光物質と同様
の発光特性を有する物質」を含まない用紙である。用紙が、本発明に係る発光物質と同様
の発光特性を有する物質を含んだものであると、該用紙に本発明のインクを用いて印刷さ
れた印刷物に、ブラックライトなどの特定光源の光を照射した場合、その発光がインクに
よるものなのか、用紙によるものなのかを判別し難く、結局、全てのサンプルについてＤ
ＮＡの構造解析をしなければならなくなるおそれがあるためである。尚、例えば有価証券
のような、長期間保管しても変色しないような堅牢性が求められる印刷物のベースとなる
用紙には、変色の原因となり得る蛍光増白剤等の発光物質は通常含まれておらず、このよ
うな用紙を用いた印刷に本発明のインクは特に有効である。
【実施例】
【００２３】
以下に、本発明の実施例及び本発明の効果を示す試験例を挙げて、本発明をより具体的
に説明するが、本発明は、斯かる実施例により何等制限されるものではない。
【００２４】
〔実施例〕
下記組成のＤＮＡ含有インクを調製した。
・ＤＮＡ分子（米国ＤＴＩ社製、Normal human tissue cDNA(Lung)） ０．７重量％
・発光物質（日本化薬製、カヤホールＪＢリキッド  原液）            ８．０重量％
・色材（ダイレクトイエロー１３０）                                ５．０重量％
・グリセリン                                                    １５．０重量％
・トリエチレングリコール                                          ３．０重量％
・トリエチレングリコールモノブチルエーテル                        ３．０重量％
・界面活性剤（サーフィノール１０４Ｅ）                            １．０重量％
・純水                                                              バランス
【００２５】
（発光視認性の評価試験）
上記ＤＮＡ含有インクを、インクジェットプリンタ（セイコーエプソン製、ＰＭ−Ｇ８
００）に標準搭載されているイエローインクと置換し、該ＤＮＡ含有インクを用いて、被
印刷面に発光物質が含まれていないインクジェット記録用紙（セイコーエプソン製、写真
用紙）に適当な文字を印刷した。この印刷文字に、３８０ｎｍにピークを有するブラック
ライトを照射したところ、ＤＮＡ含有インクに由来する青紫色の発光を目視で容易に確認
することができた。
【００２６】
（ＤＮＡの構造解析）
発光視認性の評価試験で印刷された印刷文字からＤＮＡを採取し、ＰＣＲ（Polymerase
Chain Reaction）法等の公知の方法を用いて採取したＤＮＡを増幅し、この増幅したＤ
ＮＡと別途保存しておいた参照用のＤＮＡサンプルとを、ＳＳＣＰ（Single Strand Conf
ormation Polymorphism）法を用いて比較したところ、両ＤＮＡが同一の塩基配列を有す
るものであることが確認できた。
【００２７】
（画質の評価試験）
上記ＤＮＡ含有インクを搭載した上記インクジェットプリンタを用いて、上記インクジ
ェット記録用紙に、高精細カラーデジタル標準画像［（ISO/JIS-SCID）、画像名称「ポー
トレート」（サンプル番号１、画像の評価認識番号Ｎ１）］を「推奨きれいモード」で印
刷した。こうして作製された印刷物の印刷面を目視で観察したところ、ブリード（異色の
境界部分で色が滲む又は不均一に混ざり合う現象）は全く見られず、良好な画質が得られ
た。
【００２８】
（吐出安定性の評価試験）
先ず、上記ＤＮＡ含有インクを搭載した上記インクジェットプリンタを用いて印刷を行
い、インクが安定して吐出されることを確認した。次いで、このインクジェットプリンタ
を、記録ヘッドをホームポジションから外した状態で室温５０℃、相対湿度４０％の環境
下に４週間放置した。次いで、インクジェットプリンタを通常の室内環境下に置き、プリ
ンタの温度が室温とほぼ同じとなったところでプリンタの電源を入れて、印刷を行った。
このときのインクの吐出状態を目視で観察したところ、インクの吐出は極めて安定して行
われ、所定のクリーニング動作を行なう必要がなかった。